(57)【要約】【課題】  繊維製品を挟持、係架するに当たり、ずれ落ちを防止する。【解決手段】  繊維製品を挟持、係架するに当たり、繊維製品が接する挟持部または係架部に、面ファスナーの雄面１を接着剤などで添着することによって、繊維と接地する部分の摩擦係数が高まり、ずれ落ちを防止することができる。【選択図】図１
0003128080.tif 000002
【実用新案登録請求の範囲】
【請求項１】
さまざまな繊維製品を挟持する一対の相対向する挟持部を有するクリップにおいて、前記挟持部に、面ファスナーの雄面を貼り付けたことを特徴とするクリップ。
【請求項２】
前記クリップの開口用押圧部の裏面にファスナー雄及び雌をそれぞれ貼り付けたことを特徴とする請求項１に記載のクリップ。
【請求項３】
繊維製品を係架するハンガーの両端に渡した棒状材に、面ファスナーの雄面を棒状材の表面に貼り付けることを特徴とするハンガー。
【請求項４】
面ファスナーの雄面を物干し竿の表面に貼り付けたことを特徴とする物干し竿。
【考案の詳細な説明】
【技術分野】
【０００１】  本考案は、クリップ及びハンガーの挟持部に関する。
【背景技術】
【０００２】  従来、洗濯物を干す場合などは、図１、図２に示すような洗濯バサミや洗濯物用クリップなどを使用されていたが、風が強かったりしたときなどには、挟んだものが吹き飛ばされていた。【０００３】  また、ズボンやスカートなどを衣料用ハンガーに収納するときは、通常ハンガーの水平部分に二つ折りにして吊るして下げることが行われていた（図５）、昨今は、図３、図４に示すようなハンガーなどにクリップなどが付いている物もある。このクリップには、滑り止めのためにスポンジなどが両面テープで貼ってあるものもある。【０００４】  また、昨今では、図７、図８に示すようなズボンやスカート専用のハンガーなども開発されている。
【考案の開示】
【考案が解決しようとする課題】
【０００５】  上述したように、従来、衣料を挟持するクリップなどのずれ落ち防止としては、コイルバネを強力にし、押圧力を高めたり、すべり止めのためにスポンジなどを貼りつけてクッション性を高めたり、摩擦性を高めるものがあったが、いずれの方法でも満足するものはなかった。【０００６】  本考案は、上記を鑑み、コイルバネの押圧力を高めたり、クッション性を高めることなく、衣料品を挟持しても確実に挟持することができる繊維製品用のクリップおよびハンガーを提供することを目的としている。【０００７】  また、図５に示すようなクリップの付いてないハンガーにおいては、水平部分にズボンなどを二つ折りにして吊るして下げることが行われているが、この水平部分に掛けたズボンがずれ落ちないハンガーを提供することを目的とする。【０００８】  さらに図７に示すようなズボンまたはスカートなどを挟持する繊維用クリップにおいては、コイルバネが強く、衣類をセットする場合に力を要する、それを容易にするために、一時的に開いた状態を保持するクリップを提供することを目的とする。
【考案を解決するための手段】
【０００９】  上記目的を解決するため、本考案では、図２，図４，図８に示すように、一対の相対向する挟持板２に、面ファスナーの雄面１を摩擦部材として、双方に接着剤で貼りつけることを特徴とするものである。
【００１０】  また、図５に示すようなクリップの付いてないハンガーのズボンなどを係架する水平部３に、表面積を広くするため適度の外径のパイプ又は棒状材６に、面ファスナーの雄面１を摩擦部材として、接着剤で貼りつけることを特徴とするものである。
【００１１】  さらに、図７に示すようなズボンまたはスカートなどを挟持する繊維用クリップにおいては、コイルバネが強く、衣類をセットする場合に力を要する、それをカバーするために、一時的に開いた状態を保持するために、図７及び図８に示すようにクリップの開口用押圧部の裏面にそれぞれ面ファスナー雄４及び雌５を貼り付けることを特徴とするものである。
【作用】
【００１２】  図１及び図２記載のクリップにおいて、一対の相対向する挟持板２に、面ファスナーの雄面１を双方に接着剤で貼りつけたクリップおよびハンガーは、摩擦係数が増大し、挟持された衣料品が確実に挟持され、容易にずれ落ちることがなくなる。
【００１３】  図５記載のクリップの付いてないハンガーにおいては、水平部３に表面積を広くするため適度の外径のパイプ又は棒状の部材６に、面ファスナーの雄面１を摩擦部材として、接着剤で貼りつけることによって、摩擦係数が増大し、二つ折りにして掛けられたズボンなどが、容易にずれ落ちることがなくなる。
【００１４】また、図７，図８記載のズボンまたはスカートなどを挟持する繊維用クリップにおいては、コイルバネが強く、衣類をセットする場合に力を要する、それをカバーするために、一時的に開いた状態を保持するため、容易に衣類がセットできる。
【考案の効果】
【００１５】  図１に示す、洗濯物用のクリップにしても、一対の相対向する挟持板２に、面ファスナーの雄面１を双方に接着剤で貼りつけたクリップは、摩擦係数が増大し、挟持された洗濯物が確実に挟持され、容易にずれ落ちることがなくなる。
【００１６】  また、図３に示す、ハンガーのクリップ部分にズボンなどを挟持しても同様である。
【００１７】  さらに、図７，図８に示すズボンおよびスカート専用のクリップなどは、コイルバネを強力なものにしてあるものが多く見られるが、図７及び図８に示すようにクリップの開口用押圧部の裏面にそれぞれ面ファスナー雄４及び雌５を貼り付け、一時的に開いた状態を保持するため、容易に衣類を挟持できる。
【考案を実施するための最良の形態】
【００１８】  本考案の請求項１は、図３及び図１，図２記載のクリップ付きハンガー及びクリップに冠する請求だけではなく、クリップにおいてはいずれの形状のクリップでもよく、ただ、繊維製品を挟持するクリップおよびハンガーの相対向する挟持部２に面ファスナーの雄面１を挟持部２の面積の一面または任意の面積に接着剤またはステープラーで貼り付ける。これにより、挟持部２の摩擦係数が飛躍的に向上し、洗濯物が容易にずり落ちることがなくなる。なお、面ファスナーを用いたのは、貼付けが簡単であり且つ入手し易いからである。また、適度な摩擦係数を有するからである。例えば、摩擦係数を上げるために表面に凹凸をつけたゴム材などを貼り付けても良いが、ゴム材であると、洗濯物を引っ張って取ろうとしたときに相当な力が必要であるが、面ファスナーの雄面のように、先端が鍵状に曲がった起毛形状であれば、洗濯物を引っ張るとある程度の力で容易に外すことができる。即ち、この面ファスナーを用いることで、適当な摩擦力が得られ且つそのまま洗濯物を引き抜くこともできるのである。【００１９】  また、本考案の請求項３の実施については、面テープの雄面１を貼りつける部分は、接地面積を大きくするために、多少大きめのパイプまたは棒状材６を使用し、そのパイプまたは棒状材６に面テープの雄面１を接着剤またはステープラーで添着する。この場合、添着面は、パイプ又は棒状材６の全面でもよいし、上面でもよい。このハンガーに用いた場合でも、適度な摩擦力を得ることができ、ハンガーパイプにかけたズボン等を引っ張ることで容易に外すことができるようになる。このため、ゴム材をパイプ又は棒状材６の周囲に設けて極めて高い摩擦力を得るよりも、実用的で使い易いものとなる。また、面ファスナーの雄面１をハンガーの上面に設けることもできる。また、このハンガーに上記クリップを設けても良い。【００２０】  また、本考案の請求項２の実施については、図７及び図８に示すようにクリップの開口用押圧部の裏面にそれぞれ面ファスナー雄４及び雌５を貼り付ける。このようにすれば、洗濯物を干す際に一旦クリップを広げて、その状態を保持することができ、挟持部２の間に所定の洗濯物を入れたときに、当該挟持部２を外からつまんで前記開口用押圧部の面ファスナーを引き離し、当該挟持部２で洗濯物を挟む。このクリップは、上記ハンガーの棒状材６に取り付けることもできる。【００２１】  本考案の相対向する挟持部２に面ファスナーの雄面１を挟持部に取り付け、摩擦係数を高めて、使用するものとしては、上記したクリップやハンガーに限ったものではなく、繊維製品を挟持する全ての挟持具に及ぶ。例えば、布団を物干し竿またはベランダの手すりなどに掛け、その上から布団を挟むクリップの挟持部などにも利用できる。【００２２】  また、毛布や布団などを天日干しする際に使用する物干し竿などにも利用でき、全ての衣料品との係止用に利用可能である。
【図面の簡単な説明】
【００２３】
【図１】本考案に係る洗濯物干し用クリップの側面図である。
【図２】上記挟持部の詳細図。
【図３】クリップ付きハンガーの正面図である。
【図４】上記クリップ部詳細図。
【図５】クリップの付いてないハンガーの正面図である。
【図６】ズボンなどを係架する水平部の断面図である。
【図７】ズボン及びスカート専用クリップの斜視図である。
【図８】上記クリップの側面図である。
【符号の説明】
【００２４】  １．面ファスナー雄面
２．挟持部
３．ズボンなどを係架する水平部
４．一対の面ファスナー
５．一対の面ファスナー
６．パイプ又は棒状の部材
【図１】
0003128080.tif 000003
【図２】
0003128080.tif 000004
【図３】
0003128080.tif 000005
【図４】
0003128080.tif 000006
【図５】
0003128080.tif 000007
【図６】
0003128080.tif 000008
【図７】
0003128080.tif 000009
【図８】
0003128080.tif 000010
【手続補正書】
【提出日】平成18年9月20日(2006.9.20)
【手続補正１】
【補正対象書類名】実用新案登録請求の範囲
【補正対象項目名】全文
【補正方法】変更
【補正の内容】
【実用新案登録請求の範囲】
【請求項１】
さまざまな衣類を挟持する一対の相対向する挟持部を有するクリップにおいて、前記挟持部に、面ファスナーの雄面を貼り付けたことを特徴とするクリップ。
【請求項２】
前記クリップの開口用押圧部の裏面にファスナー雄及び雌をそれぞれ貼り付けたことを特徴とする請求項１に記載のクリップ。